(57)【要約】【課題】  初期位置における弾性部材の押圧圧力を高めることができ、ストロークの始まり部分でスイッチをオンできると共に、その後にオーバーストロークの可能なプッシュスイッチ装置を提供する。【解決手段】  可動接点及び固定接点を内蔵するスイッチ１と、このスイッチ１を押圧して可動接点を固定接点と接離させる駆動体２と、この駆動体２を保持する操作つまみ４と、この操作つまみ４をスイッチ１の押圧方向に移動可能に保持する筺体５とを備え、操作つまみ４に、駆動体２をスイッチ１の押圧方向に移動可能に保持すると共に、駆動体２を弾圧する弾性部材３と駆動体２の移動を規制するストッパー部４ｇを設け、弾性部材３により駆動体２をストッパー部４ｇに弾接させた。【選択図】        図１
2006079930.tif 000002
【特許請求の範囲】
【請求項１】
可動接点及び固定接点を内蔵するスイッチと、このスイッチを押圧して前記可動接点を前記固定接点と接離させる駆動体と、この駆動体を保持する操作つまみと、この操作つまみを前記スイッチの押圧方向に移動可能に保持する筺体とを備え、前記操作つまみに、前記駆動体を前記スイッチの押圧方向に移動可能に保持すると共に、前記駆動体を弾圧する弾性部材と前記駆動体の移動を規制するストッパー部を設け、前記弾性部材により前記駆動体を前記ストッパー部に弾接させたことを特徴とするプッシュスイッチ装置。
【請求項２】
前記スイッチの各接点同士がオンするまでの作動力よりも、前記駆動体を弾圧する前記弾性部材の初期位置における弾圧力の方を大きくしたことを特徴とする請求項１記載のプッシュスイッチ装置。
【請求項３】
前記駆動体と前記弾性部材を、前記操作つまみに一体に形成したことを特徴とする請求項１、又は２記載のプッシュスイッチ装置。
【請求項４】
前記操作つまみを、対向する側壁を有する箱状に形成し、一方の側壁に切り欠きを介して舌片を設け、この舌片の先端に前記駆動体を形成すると共に、他方の側壁の下方に前記ストッパー部を形成し、前記舌片を屈曲させることにより前記舌片で前記弾性部材を構成し、前記舌片の有する弾性力により前記駆動体を前記ストッパー部に弾接させたことを特徴とする請求項３記載のプッシュスイッチ装置。
【請求項５】
前記駆動体と前記弾性部材を、前記操作つまみとは別体で形成し、前記弾性部材を介して前記駆動体を前記ストッパー部に弾接させたことを特徴とする請求項１、又は２記載のプッシュスイッチ装置。
【請求項６】
前記弾性部材を、コイルばねで形成したことを特徴とする請求項５記載のプッシュスイッチ装置。
【発明の詳細な説明】
【技術分野】
【０００１】
本発明は、プッシュスイッチ装置に係り、特にスイッチがオンした後にオーバーストロークが得られるプッシュスイッチ装置に関する。
【背景技術】
【０００２】
従来のプッシュスイッチ装置の構造としては、ハウジングの内底面に固定接点を表出し、この固定接点に接離する反転ばねからなる可動接点をハウジングの内部に収納したエレメントスイッチと、このエレメントスイッチに対して昇降自在なキートップと、このキートップとエレメントスイッチとの間に介在されたコイルばねとを備えた構造のものが知られている（例えば、特許文献１参照）。
【０００３】
以下、従来のプッシュスイッチ装置の構造を図に基づいて説明する。
図９は従来のプッシュスイッチ装置の断面図である。
【０００４】
図において、キャップ状のキートップ１１の天井部にはボス１１ａが垂設してあり、このボス１１ａにコイルばね１２の上端部が圧入してある。また、キートップ１１の下端部には２個所に係合突起１１ｂが設けてある。エレメントスイッチ１３は、升状のハウジング１４の底部に互いに離間した２つの金属片が埋設してあって、両金属片の一部がそれぞれ固定接点１５、１６として内底面に露出しており、固定接点１５上に反転ばね１７が載置してある。この反転ばね１７は固定接点１６に離間する可動接点として機能し、これらの接点１５、１６、１７を覆う位置に防塵用のシート１８が取り付けてあり、このシート１８を介して上記コイルばね１２の下端部を反転ばね１７の中央部に押し当ててある。
【０００５】
また、ハウジング１４の外壁面は上記キートップ１１の摺動面として機能し、この外壁面には２個所に上記係合突起１１ｂを係止可能な抜け止め用突起１４ａが設けてある。さらに、固定接点１５、１６から延出された端子１９がハウジング１４の下端部から側方へ突出しており、ハウジング１４の底面には位置決め用突起１４ｂが垂設してある。
【０００６】
上述したキースイッチは、ハウジング１４の位置決め用突起１４ｂをプリント基板２０の位置決め孔２０ａ内に嵌入下後、各端子１９を図示せぬランド部に半田２１付けすることにより、プリント基板２０上に面実装される。
そして、このキースイッチは、キートップ１１がハウジング１４の外壁面に沿って昇降自在であり、操作者がキートップ１１を所定量押し込むと、コイルばね１２の下端部が反転ばね１７を反転させ、両固定接点１５、１６が導通してスイッチオン状態となる。そして、更に押し込むことによりコイルばね１２が撓んでオーバーストロークが得られる。
【０００７】
このとき、操作者の手指には、反転ばね１７の反転動作に伴うクリック感触が伝わる。また、スイッチオン状態からキートップ１１に対する押圧操作力を除去すると、反転ばね１７は自らの弾性で、固定接点１６から離間するのでスイッチオフ状態となり、キートップ１１はコイルばね１２の復元力によって上昇し、係合突起１１ｂが抜け止め用突起１４ａに係止された時点で停止する。
【０００８】
【特許文献１】実開平２−９２６２０号公報
【発明の開示】
【発明が解決しようとする課題】
【０００９】
しかしながら、上述した従来のプッシュスイッチ装置の構造においては、コイルばね１２の初期のばね圧は、反転ばね１７の作動力に比べて小さく設定し、キートップ１１の押圧に伴って反転ばね１７の作動力を超えたら反転する構成であるので、ストロークの始まり部分で直ちにスイッチを押圧して、その後にオーバーストロークを得るような構成とするのが難しく、作動形態に自由度を持たせられないという問題があった。
また、初期におけるコイルばね１２の圧力が反転ばね１２の作動力を超えると、キートップ１１を押圧しなくともスイッチがオンしてしまうので、コイルばね１２のばね特性のバラツキによって、オンとなったり、オンまでのストロークがばらついてしまうという問題があった。
【００１０】
したがって、本発明では上述した問題点を解決し、初期位置における弾性部材の押圧圧力を高めることができ、ストロークの始まり部分でスイッチをオンできると共に、その後にオーバーストロークの可能なプッシュスイッチ装置を提供することを目的とする。
【課題を解決するための手段】
【００１１】
上記課題を解決するために本発明では第１の解決手段として、可動接点及び固定接点を内蔵するスイッチと、このスイッチを押圧して前記可動接点を前記固定接点と接離させる駆動体と、この駆動体を保持する操作つまみと、この操作つまみを前記スイッチの押圧方向に移動可能に保持する筺体とを備え、前記操作つまみに、前記駆動体を前記スイッチの押圧方向に移動可能に保持すると共に、前記駆動体を弾圧する弾性部材と前記駆動体の移動を規制するストッパー部を設け、前記弾性部材により前記駆動体を前記ストッパー部に弾接させた構成とした。
また、第２の解決手段として、前記スイッチの各接点同士がオンするまでの作動力よりも、前記駆動体を弾圧する前記弾性部材の初期位置における弾圧力の方を大きくした構成とした。
【００１２】
また、第３の解決手段として、前記駆動体と前記弾性部材を、前記操作つまみに一体に形成した構成とした。
また、第４の解決手段として、前記操作つまみを、対向する側壁を有する箱状に形成し、一方の側壁に切り欠きを介して舌片を設け、この舌片の先端に前記駆動体を形成すると共に、他方の側壁の下方に前記ストッパー部を形成し、前記舌片を屈曲させることにより前記舌片で前記弾性部材を構成し、前記舌片の有する弾性力により前記駆動体を前記ストッパー部に弾接させた構成とした。
また、第５の解決手段として、前記駆動体と前記弾性部材を、前記操作つまみとは別体で形成し、前記弾性部材を介して前記駆動体を前記ストッパー部に弾接させた構成とした。
また、第６の解決手段として、前記弾性部材を、コイルばねで形成した構成とした。
【発明の効果】
【００１３】
上述したように、本発明のプッシュスイッチ装置は、可動接点及び固定接点を内蔵するスイッチと、このスイッチを押圧して可動接点を固定接点と接離させる駆動体と、この駆動体を保持する操作つまみと、この操作つまみをスイッチの押圧方向に移動可能に保持する筺体とを備え、操作つまみに、駆動体をスイッチの押圧方向に移動可能に保持すると共に、駆動体を弾圧する弾性部材と駆動体の移動を規制するストッパー部を設け、弾性部材により駆動体をストッパー部に弾接させたことから、初期状態において駆動体に圧力を加えても、ストッパー部によってスイッチを駆動するための圧力は加わらず、このため初期位置における弾性部材による圧力を高めておくことができるので、従来に比べて、容易に，ストロークの始まりに近い部分でスイッチをオンとし、その後、オーバーストロークの動作となるプッシュスイッチ装置を提供できる。
また、スイッチの各接点同士がオンするまでの作動力よりも、駆動体を弾圧する弾性部材の初期位置における弾圧力の方を大きくしたことから、操作つまみの押圧時には、確実に、スイッチはストロークの始まりに近い部分で直ちに動作し、その後オーバーストローク動作となる。
【００１４】
また、駆動体と弾性部材を、操作つまみに一体に形成したことから、駆動体と弾性部材と操作つまみとをユニット化することができ、組み込みを容易に行なえる。
また、操作つまみを、対向する側壁を有する箱状に形成し、一方の側壁に切り欠きを介して舌片を設け、この舌片の先端に駆動体を形成すると共に、他方の側壁の下方にストッパー部を形成し、舌片を屈曲させることにより舌片で弾性部材を構成し、舌片の有する弾性力により駆動体をストッパー部に弾接させたことから、簡単な構造でユニット化でき、部品点数の削減が図れる。
また、駆動体と弾性部材を、操作つまみとは別体で形成し、弾性部材を介して駆動体をストッパー部に弾接させたことから、操作つまみの標準化が可能となり、容易に、弾性部材の圧力を変更できるので、押圧時のストロークのバラエティー対応が容易となる。
また、弾性部材を、コイルばねで形成したことから、圧力の設定が容易で、安定した圧力が得られる。
【発明を実施するための最良の形態】
【００１５】
以下、本発明のプッシュスイッチ装置の実施形態を図１乃至図８に示す。図１は本発明のプッシュスイッチ装置の断面図、図２は本発明のプッシュスイッチ装置の操作つまみの斜視部、図３は操作つまみの舌片の折り曲げ前の状態を示す斜視図、図４は本発明のプッシュスイッチ装置のスイッチオン時の状態を示す断面図、図５はスイッチオン後のオーバーストローク時の状態を示す断面図、図６は本発明のプッシュスイッチ装置の他の実施例を示す断面図、図７は同じくスイッチオン時の状態を示す断面図、図８は同じくスイッチオン後のオーバーストローク時の状態を示す断面図である。
【００１６】
図１において、本発明のプッシュスイッチ装置は、接点部が内蔵されたスイッチ１と、このスイッチを押圧駆動する駆動体２と、この駆動体２を弾圧する弾性部材３と、駆動体２及び弾性部材３を保持する操作つまみ４と、この操作つまみ４をスイッチ１の押圧方向に移動可能に保持する筺体５とから、主に構成されている。
【００１７】
スイッチ１は、タクトスイッチ等の既存の押釦スイッチからなり、ハウジング１ａと、押釦１ｂとを有しており、ハウジング１ａの内部には、図示しない固定接点と、この固定接点と接離してスイッチ１をオン／オフさせる反転ばねからなる可動接点が内蔵されている。押釦１ｂは、ハウジング１ａに昇降可能に保持されており、押釦１ｂの下端で可動接点を押圧することにより、可動接点を反転させて固定接点に接触させるものとなっている。
【００１８】
図１乃至図３に示す通り、操作つまみ４は、合成樹脂等の絶縁材からなり、内部に中空部４ｄを有する方形の箱状に形成されている。この操作つまみ４は、やや大きめの方形からなる基部４ａと、この基部４ａの上側に突設された、やや小さめの方形からなるつまみ部４ｂと、このつまみ部４ｂの上端に設けられた上板部４ｃとから形成されている。
【００１９】
前記基部４ａには、中空部４ｄの外周に、４面の側壁４ｅが設けられており、この側壁４ｅの、対向する一対の側壁４ｅ、４ｅの一方の側壁４ｅには、一対の切り欠き４ｆ、４ｆを介して基部４ａの外方まで延設された長尺状の舌片３が形成されている。また、舌片３の先端には、側壁４ｅの外方に向かって、舌片３の面とは直交する方向に突出された柱状の駆動体２が形成されている。また、対向する一対の前記側壁４ｅ、４ｅの他方の側壁４ｅの下方には、側壁４ｅの内方に向かって、側壁４ｅとは直交する方向に延設された平板状のストッパー部４ｇが形成されている。
【００２０】
操作つまみ４は、図３に示すように、前記舌片３が基部４ａの外方まで延設された状態で撓み可能に一体に成形加工され、その後、図２に示すように、前記舌片３を、舌片３の有する弾性力によって、基部４ａの中空部４ｄ内側に折り曲げられることにより、舌片３の先端に形成された駆動体２の近傍に位置する端面３ａが、前記ストッパー部４ｇに係止されている。この結果、前記舌片３の有する弾性力により、前記駆動体２が、前記ストッパー部４ｇに弾接された状態で一体に形成されたものとなっている。すなわち、前記舌片３で、駆動体２を弾圧する弾性部材が構成されている。そして、前記駆動体２は、前記舌片３の有する弾性力によって、前記操作つまみ４に、スイッチ１の押圧方向へ移動可能に保持されている。
【００２１】
このように、前記駆動体２と弾性部材である前記舌片３を、前記操作つまみ４に一体に形成したことから、駆動体２と弾性部材（舌片３）と操作つまみ４とをユニット化することができ、組み込みを容易に行なえるものとなる。
また、前記操作つまみ４を、対向する側壁４ｅを有する箱状に形成し、一方の側壁４ｅに切り欠き４ｆを介して前記舌片３を設け、この舌片３の先端に前記駆動体２を形成すると共に、他方の側壁４ｅの下方に前記ストッパー部４ｇを形成し、前記舌片３を屈曲させることにより舌片３で弾性部材を構成し、この舌片３の有する弾性力により前記駆動体２を前記ストッパー部４ｇに弾接させたことから、簡単な構造でユニット化でき、部品点数の削減が図れるものとなる。
【００２２】
筺体５は、合成樹脂などの絶縁材からなり、上面には操作つまみ４のつまみ部４ｂを挿通する挿通孔５ａが貫設されている。この挿通孔５ａに、操作つまみ４が昇降可能に嵌着されている。また、筺体５内には、操作つまみ４の下方に、回路基板６に載置された前記スイッチ１が配設されており、操作つまみ４の基部４ａの下方のストッパー部４ｇに弾接されて、下方に突設された前記駆動体２の先端部が、スイッチ１の押釦１ｂの上面と当接されている。
【００２３】
次に、図４、図５を用いて本発明のプッシュスイッチ装置の動作を説明する。
先ず、図１に示す初期状態においては、操作つまみ４の駆動体２の先端部が、スイッチ１の押釦１ｂの上面と当接した状態で、スイッチ１のハウジング１ａに内蔵された反転ばねのばね圧によって、操作つまみ４のつまみ部４ｂが筺体５の上面から所定の高さ位置に突出している。
【００２４】
この状態から、図４に示すように、操作つまみ４の上板部４ｃが下方へ押圧されると、操作つまみ４が下方へ移動し、駆動体２の先端部によってスイッチ１の押釦１ｂが押し下げられ、ハウジング１ａに内蔵された、図示しない反転ばねからなる可動接点が、押釦１ｂによって押圧されることにより、可動接点が反転し、図示しない固定接点と接触してスイッチがオン状態となる。
【００２５】
この場合、可動接点が反転してスイッチ１がオン状態となるまでの最大作動力、すなわち、反転ばねからなる可動接点の反転押圧力に対して、駆動体２をストッパー部４ｇに弾圧する、弾性部材としての舌片３の初期位置における弾圧力の方が大きく設定されており、このため、駆動体２はストッパー部４ｇに弾接された状態のまま移動するものとなる。尚、舌片３の初期位置における弾圧力を、可動接点（反転ばね）の反転押圧力よりも大きく設定しても、駆動体２はストッパー部４ｇにより移動が規制されているので、初期状態でスイッチ１の押釦１ｂが押されてスイッチ１がオン状態となることはない。
【００２６】
次に、図４の状態から、図５に示すように、更に、操作つまみ４が下方へ押圧されると、スイッチ１の接点部がオンした状態のまま、弾性部材である舌片３が撓むことにより、駆動体２がストッパー部４ｇから離間して、駆動体２が操作つまみ４の基部４ａの中空部４ｄ内に移動するものとなる。その結果、更に、操作つまみ４が下方に押し込まれてオーバーストローク状態となる。
【００２７】
このように、本発明のプッシュスイッチ装置によれば、操作つまみ４の押圧時に、確実に、ストロークの始まり部分で直ちにスイッチ１を押圧して接点部をオン状態とさせ、その後に、オーバーストローク状態が得られるものとなっている。
【００２８】
図６は、本発明のプッシュスイッチ装置の他の実施例の構成を示している。本実施例の構成と、上記した図１乃至図５で説明した実施例の構成との相違点は、操作つまみ４に設けられた駆動体２と弾性部材３の構成が一部相違している点である。尚、上記実施例で説明した構成部品と同一の構成部品については、同一符号を付してその説明を省略する。
【００２９】
すなわち、本実施例では、操作つまみ７と、駆動体８と、弾性部材９は、それぞれ別体で形成されている。
操作つまみ７は合成樹脂等の絶縁材からなり、同じく基部７ａと、つまみ部７ｂと、上板部７ｃとを有しており、中空部７ｄの外周に４面の側壁７ｅが設けられている点では上記実施例と同一である。しかし、駆動体８は、操作つまみ７とは分離した合成樹脂等の絶縁材で形成されており、柱状の駆動部８ａと鍔状の係止部８ｂとを有している。また、弾性部材９は、コイルばねで形成されている。
【００３０】
また、操作つまみ７の中空部７ｄの下方には底板７ｆが形成され、この底板７ｆの中央には箱状の収納部７ｇと上蓋７ｈが形成されており、収納部７ｇの底面部が駆動体８のストッパー部７ｉとなっている。この収納部７ｇに駆動体８と弾性部材９が収納されており、収納部７ｇの開口部を上蓋７ｈで塞ぐことで、弾性部材９を撓ませ、この弾性部材９の弾性力により駆動体８の係止部８ｂをストッパー部７ｉに弾接させている。そして、駆動体８は、弾性部材９の有する弾性力によって、前記操作つまみ７に、スイッチ１の押圧方向へ移動可能に保持されている。
【００３１】
次に、図７、図８を用いて本実施例のプッシュスイッチ装置の動作を説明する。
先ず、図６に示す初期状態においては、操作つまみ７の駆動体８の先端部が、スイッチ１の押釦１ｂの上面と当接した状態で、スイッチ１のハウジング１ａに内蔵された反転ばねのばね圧によって、操作つまみ７のつまみ部７ｂが筺体５の上面から所定の高さ位置に突出している。
【００３２】
この状態から、図７に示すように、操作つまみ７の上板部７ｃが下方へ押圧されると、操作つまみ７が下方へ移動し、駆動体８の先端部によってスイッチ１の押釦１ｂが押し下げられ、ハウジング１ａに内蔵された、図示しない反転ばねからなる可動接点が、押釦１ｂによって押圧されることにより、可動接点が反転し、図示しない固定接点と接触してスイッチがオン状態となる。
【００３３】
この場合、可動接点が反転してスイッチ１がオン状態となるまでの最大作動力、すなわち、反転ばねからなる可動接点の反転押圧力に対して、駆動体８をストッパー部７ｉに弾圧する、弾性部材９の初期位置における弾圧力の方が大きく設定されており、このため、駆動体８はストッパー部７ｉに弾接された状態のまま移動するものとなる。尚、弾性部材９の初期位置における弾圧力を、可動接点（反転ばね）の反転押圧力よりも大きく設定しても、駆動体８はストッパー部７ｉにより移動が規制されているので、初期状態でスイッチ１の押釦１ｂが押されてスイッチ１がオン状態となることはない。
【００３４】
次に、図７の状態から、図８に示すように、更に、操作つまみ７が下方へ押圧されると、スイッチ１の接点部がオンした状態のまま、弾性部材９が撓むことにより、駆動体８の係止部８ｂがストッパー部７ｉから離間して、駆動体８の駆動部８ａが操作つまみ７の基部７ａの収納部７ｇ内に移動するものとなる。その結果、更に、操作つまみ７が下方に押し込まれてオーバーストローク状態となる。
【００３５】
このように、本実施例のプッシュスイッチ装置においても、操作つまみ７の押圧時に、確実に、ストロークの始まり部分で直ちにスイッチ１を押圧して接点部をオン状態とさせ、その後に、オーバーストローク状態が得られるものとなっている。また、前記駆動体８と前記弾性部材９を、前記操作つまみ７とは別体で形成し、弾性部材９を介して駆動体８をストッパー部７ｉに弾接させたことから、弾性部材９の変更によって操作つまみ７の標準化が可能となり、容易に、弾性部材９の圧力を変更できるので、押圧時のストロークのバラエティー対応が容易となっている。また、弾性部材９を、コイルばねで形成したことから、圧力の設定が容易で、安定した圧力が得られるものとなる。
【００３６】
尚、本実施例においては、前記弾性部材９としてコイルばねを用いたもので説明したが、収納部７ｇを密封することによりエアータンク部を形成し、また、駆動体８をエラストマー等の可撓性を有する合成樹脂材で形成することで周面にエアーシール部を形成し、このエアータンク部の空気の圧力で駆動体８を弾圧する弾性力を持たせるようにしても良い。
【００３７】
上記した本発明の実施例によれば、前記操作つまみ４、７に、前記駆動体２、８をスイッチ１の押圧方向に移動可能に保持すると共に、前記駆動体２、８を弾圧する前記弾性部材３、９と前記駆動体２、８の移動を規制する前記ストッパー部４ｇ、７ｉを設け、前記弾性部材３、９により前記駆動体２、８を前記ストッパー部４ｇ、７ｉに弾接させたことから、初期状態において前記駆動体２、８に圧力を加えても、前記ストッパー部４ｇ、７ｉによってスイッチ１を駆動するための圧力は加わらず、このため初期位置における前記弾性部材３、９による圧力を高めておくことができるので、従来に比べて、容易に、ストロークの始まりに近い部分でスイッチ１をオンとし、その後、オーバーストロークの動作となるプッシュスイッチ装置を提供できるものとなっている。
【図面の簡単な説明】
【００３８】
【図１】本発明のプッシュスイッチ装置を示す断面図である。
【図２】本発明のプッシュスイッチ装置の操作つまみを示す斜視部である。
【図３】本発明の操作つまみの舌片の折り曲げ前の状態を示す斜視図である。
【図４】本発明のプッシュスイッチ装置のスイッチオン時の状態を示す断面図である。
【図５】本発明のプッシュスイッチ装置のスイッチオン後のオーバーストローク時の状態を示す断面図である。
【図６】本発明のプッシュスイッチ装置の他の実施例を示す断面図である。
【図７】本発明のプッシュスイッチ装置の他の実施例のスイッチオン時の状態を示す断面図、
【図８】本発明のプッシュスイッチ装置の他の実施例のスイッチオン後のオーバーストローク時の状態を示す断面図である。
【図９】従来のプッシュスイッチ装置を示す断面図である。
【符号の説明】
【００３９】
１：スイッチ
１ａ：ハウジング
１ｂ：押釦
２：駆動体
３：舌片（弾性部材）
３ａ：端面
４：操作つまみ
４ａ：基部
４ｂ：つまみ部
４ｃ：上板部
４ｄ：中空部
４ｅ：側壁
４ｆ：切り欠き
４ｇ：ストッパー部
５：筺体
５ａ：挿通孔
６：回路基板
７：操作つまみ
７ａ：基部
７ｂ：つまみ部
７ｃ：上板部
７ｄ：中空部
７ｅ：側壁
７ｆ：底板
７ｇ：収納部
７ｈ：上蓋
７ｉ：ストッパー部
８：駆動体
８ａ：駆動部
８ｂ：係止部
９：弾性部材
【図１】
2006079930.tif 000003
【図２】
2006079930.tif 000004
【図３】
2006079930.tif 000005
【図４】
2006079930.tif 000006
【図５】
2006079930.tif 000007
【図６】
2006079930.tif 000008
【図７】
2006079930.tif 000009
【図８】
2006079930.tif 000010
【図９】
2006079930.tif 000011